(57)【要約】【課題】  多数個の輸液バッグなどを支持することができ、さらに小型のオートクレーブで滅菌処理が可能な医療用ハンガーを提供すること。【解決手段】  滅菌布筒３４を被せた支柱３０の垂下部３３を医療用ハンガー本体部１０の円筒体１９に挿入し、ストッパ２６のねじ部を垂下部３３のねじ孔にねじ込んで医療用ハンガー本体部１０を規制部２８で支持している。円筒体１９と垂下部３３との間にはあそびがあり、フック部２７を手で回転させれば、支持アーム１１、１２、１３、１４、１５、１６、１７及び１８は回転軸が垂直になるように回転する。したがって、多数個の輸液バッグを支持できる上に、手術中は、フック部２７を手で回転させて使用予定の輸液バッグを所定位置に順次移動できる。また、支柱３０の先端部及びその近傍部分が垂下しているので、支柱３０の背後に輸液バッグなどが隠れることがなく、輸液バッグなどの視認性が向上する。【選択図】  図９
2013000198.tif 000002
【特許請求の範囲】
【請求項１】
医療用容器又は器具を支持可能な医療用ハンガーにおいて、
前記医療用容器又は器具を掛止可能な複数本の支持アームと、
前記支持アームの基端部を回転軸が水平になるように回転可能に支持する軸受と、
前記軸受を収納すると共に、各々の前記支持アームの前記基端部又はその近傍部分を挿通したスリットが形成されたケースとを備えていることを特徴とする医療用ハンガー。
【請求項２】
前記ケースを上下方向に貫通すると共に、前記ケースに固定された筒状体と、
先端部及びその近傍部分が垂下するように形成されると共に、前記筒状体に前記先端部及びその近傍部分を挿通させた状態において前記筒状体を回転可能な太さに形成された支柱とをさらに備えていることを特徴とする請求項１に記載の医療用ハンガー。
【請求項３】
前記支柱の前記先端部に着脱可能であると共に、前記筒状体の脱落を規制するストッパをさらに備えていることを特徴とする請求項２に記載の医療用ハンガー。
【請求項４】
前記ストッパから垂下するように設けられた掛止具をさらに備えていることを特徴とする請求項３に記載の医療用ハンガー。
【請求項５】
前記支持アームは、先端部に上方に突出した抜け落ち防止部が形成されると共に、前記基端部の近傍部分と前記抜け落ち防止部との間の稜線が先端側に向かって下り勾配となるように形成されていることを特徴とする請求項１ないし請求項４のいずれか一項に記載の医療用ハンガー。
【請求項６】
前記ケースは、前記支持アームの回転時に、前記支持アームの前記基端部又はその近傍部分が前記スリットの上縁部又は下縁部に当接することによって、前記支持アームの回転範囲を規制するようになされていることを特徴とする請求項１ないし請求項５のいずれか一項に記載の医療用ハンガー。
【請求項７】
前記支柱は、前記先端部にねじ孔が形成され、
前記ストッパは、略円板状に形成されると共に前記筒状体の内径よりも径が大きい規制部と、前記規制部の上面から垂直に立ち上がるように設けられると共に前記ねじ孔にねじ込まれたねじ部とを有することを特徴とする請求項１ないし請求項６のいずれか一項に記載の医療用ハンガー。
【請求項８】
前記支持アームを４本以上備えると共に、それらの前記支持アームが前記ケースから放射状に延びるようになされていることを特徴とする請求項１ないし請求項７のいずれか一項に記載の医療用ハンガー。
【請求項９】
前記ケースは、各々の前記支持アームの前記基端部の下方の部位に開口部が形成されていることを特徴とする請求項１ないし請求項８のいずれか一項に記載の医療用ハンガー。
【発明の詳細な説明】
【技術分野】
【０００１】
本発明は、医療用ハンガーに関し、特に、輸液バッグなどの医療用容器や、医療用器具を多数個支持することができ、さらに滅菌処理が容易な構成を有する医療用ハンガーに関する。
【背景技術】
【０００２】
輸液製剤や生理食塩水を封入したバッグを支持するハンガーは、手術又は外科的処置などにおいて使用するものであるが、手術又は外科的処置を迅速に行うために、複数のバッグを支持し、さらに各々のバッグのラベルなどを直接視認することを可能にするための様々な構造が提案されている。
【０００３】
図１３は、従来技術に係る医療用ハンガーの一例を示す斜視図である。図１３において、５０は補液バッグ用ハンガー、５１ａは立設部、５１ｂは延設部、５２、５３、５４、５５及び５６はフック、５７、５８及び５９は補液バッグ、６０は多用途透析装置である。
【０００４】
図１３は、特開２００８−０００３１８公報において開示されている補液バッグ用ハンガーである。補液バッグ用ハンガー５０は、患者に対して補液の注入を可能としつつ血液浄化治療を施すための多用途透析装置６０に設置されている。多用途透析装置６０の所定部位から略鉛直方向に立設された立設部５１ａと、立設部５１ａの上端部から上方に傾斜しつつ略直線状に延設部５１ｂが延設されている。延設部５１ｂは、補液バッグ５７、５８及び５９を保持するためのフック５２、５３、５４、５５及び５６が長手方向に沿って所定間隔で配置されている。
【０００５】
以上の構成によれば、延設部５１ｂに補液バッグ５７、５８及び５９を保持するためのフック５２、５３、５４、５５及び５６が設けられているので、補液バッグ５７、５８及び５９を吊して保持させる作業性を向上させることができ、補液の注入時において各補液バッグ５７、５８及び５９の視認性を向上させることができる。また、１本の延設部５１ｂで複数の補液バッグを支持するので、従来の円環状フレームのものに比べ、補液バッグ用ハンガー５０の小型化を図って設置スペースの自由度を向上させることができるという利点もある。
【０００６】
しかし、手術又は外科的処置によっては、例えば６個以上など多数の補液バッグを連続的に使用する場合もあるが、この構成では対応できない。また、１本の延設部５１ｂに６個以上のフックを設けると、輸液バッグを吊して保持させるときに補液バッグ同士の感覚が狭まるので、医師や看護師から視認しにくく、かつ、吊り下げにくくなるという問題がある。延設部５１ｂを長くすれば補液バッグ同士の間隔を確保できるが、補液バッグ用ハンガー５０を大型化することになり、小型化するという発明の目的から逸脱する。さらに、手術室において使用する場合には、補液バッグ用ハンガー５０を滅菌処理する必要があるが、立設部５１ａと延設部５１ｂとからなる構成では小型のオートクレーブに収容できないという問題もある。
【先行技術文献】
【特許文献】
【０００７】
【特許文献１】特開２００８−０００３１８公報
【発明の概要】
【発明が解決しようとする課題】
【０００８】
本発明は、上記課題を解決するために、多数個の輸液バッグなどを支持することができ、さらに小型のオートクレーブで滅菌処理が可能な医療用ハンガーを提供することを目的とする。
【課題を解決するための手段】
【０００９】
請求項１に記載の発明は、医療用容器又は器具を支持可能な医療用ハンガーにおいて、  前記医療用容器又は器具を掛止可能な複数本の支持アームと、前記支持アームの基端部を回転軸が水平になるように回転可能に支持する軸受と、前記軸受を収納すると共に、各々の前記支持アームの前記基端部又はその近傍部分を挿通したスリットが形成されたケースとを備えていることを特徴とする医療用ハンガーである。
【００１０】
請求項２に記載の発明は、請求項１に記載の発明において、前記ケースを上下方向に貫通すると共に、前記ケースに固定された筒状体と、先端部及びその近傍部分が垂下するように形成されると共に、前記筒状体に前記先端部及びその近傍部分を挿通させた状態において前記筒状体を回転可能な太さに形成された支柱とをさらに備えていることを特徴とする医療用ハンガーである。
【００１１】
請求項３に記載の発明は、請求項２に記載の発明において、前記支柱の前記先端部に着脱可能であると共に、前記筒状体の脱落を規制するストッパをさらに備えていることを特徴とする医療用ハンガーである。
【００１２】
請求項４に記載の発明は、請求項３に記載の発明において、前記ストッパから垂下するように設けられた掛止具をさらに備えていることを特徴とする医療用ハンガーである。
【００１３】
請求項５に記載の発明は、請求項１ないし請求項４のいずれか一項に記載の発明において、前記支持アームは、先端部に上方に突出した抜け落ち防止部が形成されると共に、前記基端部の近傍部分と前記抜け落ち防止部との間の稜線が先端側に向かって下り勾配となるように形成されていることを特徴とする医療用ハンガーである。
【００１４】
請求項６に記載の発明は、請求項１ないし請求項５のいずれか一項に記載の発明において、前記ケースは、前記支持アームの回転時に、前記支持アームの前記基端部又はその近傍部分が前記スリットの上縁部又は下縁部に当接することによって、前記支持アームの回転範囲を規制するようになされていることを特徴とする医療用ハンガーである。
【００１５】
請求項７に記載の発明は、請求項１ないし請求項６のいずれか一項に記載の発明において、前記支柱は、前記先端部にねじ孔が形成され、前記ストッパは、略円板状に形成されると共に前記筒状体の内径よりも径が大きい規制部と、前記規制部の上面から垂直に立ち上がるように設けられると共に前記ねじ孔にねじ込まれたねじ部とを有することを特徴とするである。
【００１６】
請求項８に記載の発明は、請求項１ないし請求項７のいずれか一項に記載の発明において、前記支持アームを４本以上備えると共に、それらの前記支持アームが前記ケースから放射状に延びるようになされていることを特徴とする医療用ハンガーである。
【００１７】
請求項９に記載の発明は、請求項１ないし請求項８のいずれか一項に記載の発明において、前記ケースは、各々の前記支持アームの前記基端部の下方の部位に開口部が形成されていることを特徴とする医療用ハンガーである。
【発明の効果】
【００１８】
請求項１に記載の発明によれば、複数本の支持アームがケース内の軸受によって回転可能に支持されているので、複数本の支持アームの各々に輸液バッグなどを掛止状態で支持させることができる。また、支持アームを回転軸が水平になるように回転して支持アーム同士が平行またはこれに近い状態になるように、つまり、傘を閉じるように支持アームを回転させて折りたためば、小型のオートクレーブに収容することが可能となる。
【００１９】
請求項２に記載の発明によれば、ケースを貫通する筒状体に垂下している支柱の先端部及びその近傍部分を挿通することによって、筒状体を中心として支持アームを回転させることができる。したがって、筒状体を中心として支持アームを回転させて、使用したい輸液バッグなどが医師や看護師から見て手前に配置することが簡単にでき、輸液バッグなどの視認性が向上する。また、支柱の先端部及びその近傍部分が垂下しているので、この先端部及びその近傍部分の背後に輸液バッグなどが隠れることがなく、輸液バッグなどの視認性が向上する。
【００２０】
請求項３に記載の発明によれば、ストッパを支柱から着脱することによって、ケース、軸受、筒状部及び支持アームも着脱できるので、滅菌処理が容易にできる。
【００２１】
請求項４に記載の発明によれば、ストッパに掛止具を設けているので、この掛止具に内視鏡を掛けたり、動物病院では動物の後肢を吊り下げたりすることが可能となる。
【００２２】
請求項５に記載の発明によれば、基端部の近傍部分と抜け落ち防止部との間の稜線が先端側に向かって下り勾配なので、この稜線部分に掛けた輸液バッグなどに支持アームの先端側に滑り降りる力が加わった状態となるので、医療用ハンガーの移動中などに、輸液バッグなどが支持アームの基端部側に滑り動いて、医師や看護師の手が届きにくくなることを防止できる。また、支持アームの先端部に抜け落ち防止部を形成しているので、輸液バッグなどの落下を防止することができる。
【００２３】
請求項６に記載の発明によれば、支持アームの回転範囲をケースによって規制するので、軸受によって回転を規制する必要がなく、軸受の構造を単純化することができる。ひいては、軸受の小型化が容易になるので、医療用ハンガーの小型化を図ることができる。
【００２４】
請求項７に記載の発明によれば、ストッパを支柱の先端部にねじ止めするだけで固定できる。また、筒状部の落下を規制部によって規制することができるので、ケース、軸受、筒状部及び支持アームを非常に簡単な構成で支持することができる。
【００２５】
請求項８に記載の発明によれば、支持アームを４本以上備えると共に、それらの支持アームがケースから放射状に延びるようになされているので、支持アームに掛けた輸液バッグ同士の間隔を確保し、輸液バッグのラベル等に対する視認性を確保することできる。
【００２６】
請求項９に記載の発明によれば、ケースの支持アームの基端部の下方の部位に開口部が形成されているので、これらの開口部からブラシ等を挿入して軸受や支持アームの基端部を清掃することができる。
【図面の簡単な説明】
【００２７】
【図１】本発明の実施の形態に係る医療用ハンガー本体部を示す斜視図である。
【図２】本発明の実施の形態に係る医療用ハンガー本体部の支持アームを閉じた状態を示す斜視図である。
【図３】本発明の実施の形態に係る医療用ハンガー本体部を示し、（ａ）は平面図、（ｂ）は底面図である。
【図４】支持アームの回転を支持する構成を示す断面図である。
【図５】支持アーム、軸受及びケースの細部の構成を示す断面図である。
【図６】ストッパを示す斜視図である。
【図７】支柱を示す斜視図である。
【図８】支柱の使用方法を示す斜視図であり、（ａ）は滅菌布筒を被せつつある状態、（ｂ）は滅菌布筒を被せ終わった状態である。
【図９】医療用ハンガーの全体構成を示す斜視図である。
【図１０】医療用ハンガーの使用状態を示す斜視図である。
【図１１】医療用ハンガーの滅菌方法を示し、（ａ）はオートクレーブ用保持筒に医療用ハンガーを挿入する前の状態（ｂ）はオートクレーブ用保持筒に医療用ハンガーを挿入した後の状態である。
【図１２】医療用ハンガーを医療器具支持ユニットに装着した状態を示す斜視図である。
【図１３】従来技術に係る医療用ハンガーの一例を示す斜視図である。
【発明を実施するための形態】
【００２８】
以下に本発明の実施の形態に係る医療用ハンガーを図面に基づいて説明する。なお、以下の説明では、本発明の形態に係る医療用ハンガーを輸液バッグの支持に使用する場合について説明するが、本発明の形態に係る医療用ハンガーは内視鏡や、吸引チューブ、牽引用ワイヤなど容器以外の医療機器又は医療器具を支持することが可能である。また、輸液製剤や生理食塩水など医療用の液体を封入したバッグに対しては、『輸液バッグ』、『補液バッグ』、『溶液バッグ』、『透析液バッグ』、『ブドウ糖バッグ』、『製剤バッグ』、『生理食塩液バッグ』などという用語が用いられており、医療関係者の間では必ずしも用語の統一が図られていないが、以下の説明では、医療用の液体を封入したバッグを『輸液バッグ』という用語で説明する。なお、本発明の各実施の形態に係る医療用ハンガーは、動物医療において利用することも可能である。
【００２９】
まず、本発明の実施の形態に係る医療用ハンガーの支持アームと支持アームの周辺構成について説明する。図１は、本発明の実施の形態に係る医療用ハンガー本体部を示す斜視図である。図１において、１０は医療用ハンガー本体部、１１及び１２は支持アーム、１２ａは掛止孔、１２ｂは抜け落ち防止部、１３は支持アーム、１３ａは掛止孔、１３ｂは抜け落ち防止部、１４は支持アーム、１４ａは掛止孔、１４ｂは抜け落ち防止部、１５及び１６は支持アーム、１６ａは掛止孔、１６ｂは抜け落ち防止部、１７は支持アーム、１７ａは掛止孔、１７ｂは抜け落ち防止部、１８は支持アーム、１８ａは掛止孔、１８ｂは抜け落ち防止部、１９は円筒体、１９ａは中空部、２０はケースである。また、図２は本発明の実施の形態に係る医療用ハンガー本体部の支持アームを閉じた状態を示す斜視図である。図２において用いた符号は、すべて図１と同じものを示す。また、図３は、本発明の実施の形態に係る医療用ハンガー本体部を示し、（ａ）は平面図、（ｂ）は底面図である。図３において、２１ａ、２１ｂ、２１ｃ、２１ｄ、２１ｅ、２１ｆ、２１ｇ及び２１ｈは開口部であり、その他の符号は図１と同じものを示す。
【００３０】
本発明の実施の形態に係る医療用ハンガー本体部１０は、図１及び図３に示すように、８本の支持アーム１１、１２、１３、１４、１５、１６、１７及び１８がケース２０を中心として放射状に延びるように、かつ、等間隔で設けられている。また、後述するように、これらのものを滅菌処理することによって、手術室でも使用できるように構成している。各々の支持アームは、ステンレス鋼のプレス加工等によって同じ形状及び大きさに形成されており、輸液バッグの掛止部を掛けることによって、１本の支持アームに３個までの輸液バッグを吊り下げることができる。また、図２に示すように、支持アーム１１、１２、１３、１４、１５、１６、１７及び１８は、回転軸が水平になるように回転する、つまり、先端側が上下方向に動くように回転するように設けられている。したがって、医療用ハンガー本体部１０を滅菌処理するときには、傘をたたむように、支持アーム１１、１２、１３、１４、１５、１６、１７及び１８をたたんだ状態でオートクレーブに収容することができる。また、医療用ハンガー本体部１０を保管するときにも、支持アーム１１、１２、１３、１４、１５、１６、１７及び１８をたたんで容器に入れることができる。
【００３１】
なお、８本の支持アームは、等間隔ではなく、ケース２０を基点として所定方向に偏在するように設けることができ、このように偏在させても本発明が課題とすることを解決することが可能であるが、医療用ハンガー本体部１０が傾いて後述する円筒体と垂下部との摩擦力によって回転が妨げられることが考えられる。さらに、隣接する輸液バッグ同士の間隔を確保する観点からも等間隔とすることが望ましい。また、この実施の形態に係る医療用ハンガー本体部１０では、支持アームを８本設けているが、２本以上設ければ６個以上の輸液バッグを吊り下げることができるので、２本以上であれば何本でもよい。ただし、例えば１６本又はそれ以上の本数になると、隣り合う輸液バッグ同士の間隔を確保するために、図１に示した支持アームの２倍かそれ以上の長さにする必要があるが、このような長さにすると小型のオートクレーブに収容できなくなる。したがって、支持アームを１６本又はそれ以上の本数にすることは好ましいことではなく、１２本以下にすることが望ましい。また、支持アームを２本設ける場合には、２本の支持アームと直交する方向の空間が輸液バッグの吊り下げに全く活用されないことになるので、支持アームは４本以上設けることが望ましい。また、これらの支持アームは、ステンレス鋼のプレス加工以外の方法、例えばアルミ合金のパイプ又は棒材を適宜加工することによっても形成できるが、プレス加工であれば同じ形状及び大きさのものを大量に形成できるのでこの方法が好ましい。また、内視鏡を掛止するための支持アームなど異なる用途及び形状の支持アームを混在させてもよい。
【００３２】
また、図１の支持アーム１２、１３、１４、１６、１７及び１８から分かるように、これらの先端部には、上方に突出した抜け落ち防止部１２ｂ、１３ｂ、１４ｂ、１６ｂ、１７ｂ及び１８ｂが形成されている。なお、図１では、支持アーム１１及び１５の抜け落ち防止部が表われていないが、支持アーム１１及び１５にも同じ形状及び大きさの抜け落ち防止部が形成されている。これらの抜け落ち防止部は、手術や外科的処置をなどに輸液バッグなどが支持アームから脱落して医療行為に支障をきたすことを防止する役割を持つ。さらに、図１の支持アーム１２、１３、１４、１６、１７及び１８から分かるように、これらの基端側には、掛止孔１２ａ、１３ａ、１４ａ、１６ａ、１７ａ及び１８ａが形成されている。なお、図１では、支持アーム１１及び１５の掛止孔が表われていないが、支持アーム１１及び１５にも同じ形状及び大きさの掛止孔が形成されている。これらの掛止孔は、Ｓ字状フックを掛けることによって、例えば４個目の輸液バッグや、吸引チューブを吊り下げることができるようにするものであり、同時に医療用ハンガー本体部１０の軽量化も寄与するものでもある。
【００３３】
ケース２０は、後述するように、支持アーム１１、１２、１３、１４、１５、１６、１７及び１８の回転を支持する軸受が収納されており、また、支持アーム１１、１２、１３、１４、１５、１６、１７及び１８を回転可能とするためのスリットが形成されている。さらに、図３（ｂ）に示すように、ケース２０の下面側には、開口部２１ａ、２１ｂ、２１ｃ、２１ｄ、２１ｅ、２１ｆ、２１ｇ及び２１ｈが形成されている。開口部２１ａ、２１ｂ、２１ｃ、２１ｄ、２１ｅ、２１ｆ、２１ｇ及び２１ｈは、それぞれ支持アーム１１、１２、１３、１４、１５、１６、１７及び１８の基端部の位置に対応するように配置されており、ケース２０の内部にあるこれらの支持アームの基端部及び軸受の清掃を容易に行えるようにしている。また、ケース２０の中央には、円筒体１９が上下方向に貫通するように設けられている。円筒体１９は、その中空部１９ａに後述する支柱の垂下部を挿通させた状態で保持されている。また、円筒体１９の内径は支柱の垂下部の径よりも大きくなるように形成されているので、円筒体１９は回転軸が水平になるように方向に回転可能である。
【００３４】
さらに、支持アームの細部の形状と回転支持構造について説明する。図４は、支持アームの回転を支持する構成を示す断面図である。図４において、１１ａは掛止孔。１１ｂは抜け落ち防止部、１１ｃは掛止領域、１１ｄは軸受用開口部であり、その他の符号は図１と同じものを示す。図５は、支持アーム、軸受及びケースの細部の構成を示す断面図である。図５において、２２は環状軸受、２３ａはスリット、２３ａａは上縁部、２３ａｂは下縁部、２４は下端部、２５は段差部であり、その他の符号は図１と同じものを示す。なお、図４及び図５は、支持アーム１１のみを図示しているが、支持アーム１２、１３、１４、１５、１６、１７及び１８の細部の形状と回転支持構造はすべて同じものに形成している。
【００３５】
図４に示すように、支持アーム１１は、全体を細長の略帯状になされ、先端部は上方に湾曲しながら突出した抜け落ち防止部１１ｂとして形成されている。また、抜け落ち防止部１１ｂから全長の約３分の２の範囲において、上端部の稜線が凹状となるように形成されている。この部分は、輸液バッグなどを掛止して支持するための掛止領域１１ｃである。すなわち、凹状の掛止領域１１ｃを形成することによって、医療用ハンガー本体部１０を動かしているときに、輸液バッグなどが円筒体１９側に移動して医師や看護師の手が届きにくくなることを防止している。さらに、支持アーム１１は、先端側に向かってわずかに下り勾配になるようになされており、掛止領域１１ｃも先端側に向かってわずかに下り勾配になっている。掛止領域１１ｃのこの下り勾配も輸液バッグなどが円筒体１９側に移動することを防止するよう作用する。なお、支持アーム１１全体を先端側に向かって下り勾配となるようにするのではなく、掛止領域１１ｃのみ下り勾配となるようにしてもよい。凹状の掛止領域１１ｃよりも基端側には掛止孔１１ａを設けている。掛止孔１１ａは、前述のように、Ｓ字状フックを掛けることによって、例えば４個目の輸液バッグや、吸引チューブを吊り下げることができるようにするものであり、掛止領域１１ｃと掛止孔１１ａとの距離はこれを考慮して設定している。
【００３６】
また、図５に示すように、支持アーム１１の基端部には軸受用開口部１１ｄが形成されている。軸受用開口部１１ｄには環状軸受２２が挿通しており、支持アーム１１は環状軸受２２を中心に回転する。図５には図示していないが、支持アーム１２、１３、１４、１５、１６、１７及び１８の軸受用開口部にも環状軸受２２が挿通しており、すべての支持アームが環状軸受２２によって回転軸が水平になるように回転可能に支持されている。環状軸受２２は、ケース２０の内部に収納されているが、ケース２０に対して固定されてはいない。これは、環状軸受２２がケース２０に対して固定されていると、支持アームの基端部及び軸受の清掃を行うときにブラシや綿棒が入り込まない領域ができて、衛生管理上好ましくない。そこで、環状軸受２２がケース２０の内部で若干動く状態にすることによって清掃を容易にしている。
【００３７】
ケース２０は、アライメントを容易にするために、円筒体１９の段差部２５に下端部２４が当接する位置で固定するようにしている。また、前述のように、ケース２０は、支持アーム１１に対応する位置にスリット２３ａが形成されている。スリット２３ａは、プレス加工によって形成され、支持アーム１１の回転を可能にすると共に、回転角度を設定する役割を持つ。すなわち、支持アーム１１の先端部が上方に向かうように回転すると、支持アーム１１の基端部の近傍部分がスリット２３ａの上縁部２３ａａに当接したところで回転が規制される。また、支持アーム１１の先端部が下方に向かうように回転すると、支持アーム１１の基端部の近傍部分がスリット２３ａの下縁部２３ａｂに当接したところで回転が規制される。このように構成したことによって、軸受に回転を規制するための複雑な構造を設ける必要がない上に、スリット２３ａの上縁部２３ａａ及び下縁部２３ａｂの位置はプレス加工に適宜設定できる利点がある。
【００３８】
さらに、ストッパについて説明する。図６は、ストッパを示す斜視図である。図６において、２６はストッパ、２７はフック部、２８は規制部、２９はねじ部である。ストッパ２６は、医療用ハンガー本体部１０が支柱の垂下部から落下することを阻止することを主な目的とするものである。ストッパ２６は、この主な目的を果たすものである規制部２８と、規制部２８の上面から突出するように設けられたねじ部２９と、規制部２８の下面から垂下するように設けられたフック部２７とを有している。また、小型のオートクレーブに収容できる大きさに形成してある。
【００３９】
規制部２８は、円筒体１９の中空部１９ａを通り抜けて医療用ハンガー本体部１０が落下しないように、円筒体１９の内径よりも径が大きくなるように形成されている。前述のように、円筒体１９の内径は支柱の垂下部の径よりも大きくなるように形成され、円筒体１９は回転軸が水平になるように方向に回転可能であるが、回転中に円筒体１９に当接しつつ医療用ハンガー本体部１０を支持するのは規制部２８である。また、ねじ部２９は、支柱の垂下部に設けたねじ孔にねじ込むものである。したがって、別途ねじを用意してストッパ２６をねじ止めする構成よりも、ストッパ２６の装着が簡単できるという利点がある。フック部２７は、例えば、手術において内視鏡を掛止したり、手術後に患者の腕を吊したり、動物の後肢を吊したりするために使用するものである。さらに、手術中に、医師がフック部２７を把持して医療用ハンガー本体部１０を回転したり、支柱の垂下部を移動したりすることにも使用できる。なお、フック部２７を省略する、又は、フック部２７に代えて把持用のハンドルを設けることも可能である。
【００４０】
続けて、支柱について説明する。図７は、支柱を示す斜視図である。図７において、３０は支柱、３１は基体部、３２は水平部、３３は垂下部、３３ａはねじ孔である。また、図８は、支柱の使用方法を示す斜視図であり、（ａ）は滅菌布筒を被せつつある状態、（ｂ）は滅菌布筒を被せ終わった状態である。図８において、３４は滅菌布筒であり、その他の符号は図７と同じものを示す。
【００４１】
支柱３０は、図７の垂下部３３に示すように、先端部及びその近傍部分を垂下させていることが最大の特徴である。一般的な支柱のようにその全体が直立又はほぼ直立していると、医療用ハンガー本体部１０を先端部及びその近傍部分に装着して使用するときに、先端部及びその近傍部分の背後に輸液バッグなどが隠れてしまい、輸液バッグなどの視認性が悪くなる。垂下部３３のように先端部及びその近傍部分を垂下させると、この先端部及びその近傍部分の背後に輸液バッグなどが隠れることがなく、輸液バッグなどの視認性が向上する。さらに、輸液バッグの交換作業なども容易になる。なお、医療用ハンガー本体部１０の装着は、前述のように、垂下部３３を医療用ハンガー本体部１０の円筒体１９に挿入し、さらに垂下部３３のねじ孔３３ａにストッパ２６にねじ部２９をねじ込むことによって行う。水平部３２は、例えばＳ字状フックなどを掛止し、さらに吸引チューブなどをこのＳ字状フックに掛止できるようにするために形成している。なお、Ｓ字状フックが水平部３２から滑り落ちることを防止するために、水平部３２の両端部又は一方の端部近傍の部分から上方に突出する滑り落ち防止突起を設けてもよい。また、医療用ハンガーの用途によっては、水平に形成せずに逆Ｕ字状などに形成してもよい。
【００４２】
基体部３１は、医療用ハンガー本体部１０やストッパ２６などを所定の高さで保持するための基幹部である。図７では、基体部３１の下方の部分を省略しているが、この下方の部分はキャスタ付きの脚部に固定してもよく、後述するように、医療機器を搭載して移動又は支持する医療器具支持ユニットに固定してもよい。また、基体部３１を水平部３２の端部から上方に延びるように形成し、手術室の天井などに固定してもよい。さらに、水平部３２がそのまま水平に手術室の壁面などにまで延びるように形成し、壁面において固定するようにしてもよい。このような場合、水平部を伸縮可能に構成してもよい。くわえて、透析機器などの所定の医療機器の筐体に固定してもよい。いずれにせよ、支柱３０は、先端部及びその近傍部分が垂下していれば、これ以外の部分の構成は図７で示したもの以外の様々な構成にすることが可能であり、多様な医療用機器の使用を医療用ハンガーによって補助し、医療機器の利便性を高めることができる。
【００４３】
ところで、支柱３０は、その大きさからオートクレーブに収容できない。そこで、手術室において使用する場合には、滅菌布筒を被せた上で使用する。すなわち、図８（ａ）に示すように、予め滅菌処理してある滅菌布筒３４に垂下部３３を挿入し、さらに水平部３２から基体部３１まで挿入して行く。そして、図８（ｂ）に示すように、支柱３０の全体が滅菌布筒３４で覆われるようにする。
【００４４】
以上に説明した医療用ハンガーの全体構成について説明する。図９は、医療用ハンガーの全体構成を示す斜視図である。図９において用いた符号は、すべて図１及び図７と同じものを示す。また、図１０は、医療用ハンガーの使用状態を示す斜視図である。図１０において、３５ａ及び３５ｂは輸液バッグであり、その他に符号は図１及び図７と同じものを示す。
【００４５】
本発明の実施の形態に係る医療用ハンガーは、図９に示すように、滅菌布筒３４を被せた支柱３０の上方から垂下している垂下部３３を医療用ハンガー本体部１０の円筒体１９に挿入した上でストッパ２６のねじ部２９をねじ孔３３ａにねじ込んで、医療用ハンガー本体部１０を規制部２８によって支持させている。円筒体１９と垂下部３３との間にはあそびがあるので、フック部２７を手で回転させれば、支持アーム１１、１２、１３、１４、１５、１６、１７及び１８は回転軸が垂直になるように回転する。なお、医療用ハンガーを手術室以外、例えば病室などで使用する場合には、滅菌布筒３４は勿論必要ない。
【００４６】
そして、図１０の輸液バッグ３５ａ及び３５ｂに示す輸液バッグを支持アーム１１、１２、１３、１４、１５、１６、１７及び１８に必要個数、例えば１６個を吊り下げておく。そして、支持アーム１１、１２、１３、１４、１５、１６、１７及び１８が医師や看護師などの動作を妨げず、かつ、使用しやすい位置に配置しておく。手術中には、医師などがフック部２７を手で回転させて、その時点において使用予定の輸液バッグを手前、または、左右側方などの所定位置に順次移動させる。
【００４７】
次に、医療用ハンガー本体部の滅菌方法について説明する。図１１は、医療用ハンガーの滅菌方法を示し、（ａ）はオートクレーブ用保持筒に医療用ハンガーを挿入する前の状態（ｂ）はオートクレーブ用保持筒に医療用ハンガーを挿入した後の状態である。図１１において、３６はオートクレーブ用保持筒、３７ａ及び３７ｂは開口部、３８は通気孔であり、その他の符号は図１と同じものを示す。
【００４８】
医療用ハンガー本体部１０の滅菌処理は、図１１（ａ）に示すように、支持アーム１１、１２、１３、１４、１５、１６、１７及び１８をたたんでから、周側面に通気孔３８を多数形成したオートクレーブ用保持筒３６の上下の開口部３７ａ又は３７ｂのいずれかに医療用ハンガー本体部１０を挿入し、図１１（ｂ）に示した状態にして、オートクレーブ用保持筒３６ごとオートクレーブに収容する。なお、ストッパ２６は、支持アーム１１、１２、１３、１４、１５、１６、１７及び１８の間に挿入して、医療用ハンガー本体部１０と同時に滅菌処理してもよいし、ストッパ２６単独で滅菌処理してもよい。
【００４９】
さらに、医療機器を搭載して移動又は支持する医療器具支持ユニットに医療用ハンガーを装着した状態について説明する。図１２は、医療用ハンガーを医療器具支持ユニットに装着した状態を示す斜視図である。図１２において、４０は医療器具支持ユニット、４１、４２及び４３は脚部材、４４は上部支柱材、４５は下部支柱材、４６は支柱、４７は載置部、４８ａはクランプ、４８ｂはつまみ、４９は支持孔であり、その他の符号は図１０と同じものを示す。
【００５０】
医療器具支持ユニット４０は、キャスタを設けた脚部材４２と脚部材４３とを連結する脚部材４１に略角柱状の下部支柱材４５を設けている。また、脚部材４１は、医療機器を載置するトレーを置くことができる。下部支柱材４５は、大部分が上部支柱材４４に挿入可能であり、伸縮可能な支柱４６を構成している。なお、上部支柱材４４の周側面を締め付け可能なクランプを設けたアームを上部支柱材４４に固定し、このアームに医療機器を載置するトレーを置けば、医療機器を上下２段に配置することができる。また、上部支柱材４４の上端部に略板状の載置部４７を設け、さらに載置部４７を上下に貫通する支持孔４９を設けている。くわえて、支持孔４９の下側の開口部の周囲にクランプ４８ａを設けており、クランプ４８ａはつまみ４８ｂによって締め付け可能である。このような医療器具支持ユニット４０において、支柱３０の基体部３１を支持孔４９に挿入してクランプ４８ａで締め付け、例えば、吸引機器を脚部材４１の上のトレーに置き、吸引チューブをいずれかの支持アームに適宜掛止しながら使用する、あるいは、上部支柱材４４に固定したアームにレーザ発信器を置き、レーザメスのケーブル（導光路）をいずれかの支持アームに適宜掛止しながら使用するなどの様々な使い方が可能である。また、支柱４６が伸縮可能であるので、医療用ハンガー本体部１０の昇降も可能となる。
【００５１】
なお、本発明は、以上に説明した各実施の形態の説明内容に限定されるものではなく、例えば、垂下部を上下２本の構成とし、それぞれに医療用ハンガー本体部を装着してもよい。すなわち下段の垂下部にストッパの規制部の機能を持たせて、上下２段の医療用ハンガー本体部を回転可能な状態で使用することも可能である。また、支持アームの一部又は全部を着脱可能、例えば、支持アーム１１の基端部において、４の軸受用開口部１１ｄを形成する代わりに左右に円筒状に突出する突起部を設けると共に、ケース内部にはこれらの突起部を受ける略Ｕ字状の軸受を設けておき、さらにケースのスリットにおいて略Ｕ字状の軸受の上方の部位にこれらの突起部を挿通できる幅広の部分を形成しておけば、支持アーム１１の突起部をスリットの幅広の部分を挿通させて軸受に装着することによって、抜き取る又は差し込むことを可能としてもよい。さらに、支柱３０の垂下部３３の上端部にねじを設けると共に、水平部３２の下端部にねじ孔を形成して、水平部３２に対して垂下部３３を着脱可能とし、医療用ハンガー本体部１０を垂下部３３と一体の状態のまま取り外して滅菌処理可能としてもよい。このように、各請求項に記載した範囲を逸脱しない限りにおいて種々の変形を加えることが可能である。
【符号の説明】
【００５２】
１０      医療用ハンガー本体部
１１      支持アーム
１１ａ    掛止孔
１１ｂ    抜け落ち防止部
１１ｃ    掛止領域
１１ｄ    軸受用開口部
１２      支持アーム
１２ａ    掛止孔
１２ｂ    抜け落ち防止部
１３      支持アーム
１３ａ    掛止孔
１３ｂ    抜け落ち防止部
１４      支持アーム
１４ａ    掛止孔
１４ｂ    抜け落ち防止部
１５      支持アーム
１６      支持アーム
１６ａ    掛止孔
１６ｂ    抜け落ち防止部
１７      支持アーム
１７ａ    掛止孔
１７ｂ    抜け落ち防止部
１８      支持アーム
１８ａ    掛止孔
１８ｂ    抜け落ち防止部
１９      円筒体
１９ａ    中空部
２０      ケース
２１ａ    開口部
２１ｂ    開口部
２１ｃ    開口部
２１ｄ    開口部
２１ｅ    開口部
２１ｆ    開口部
２１ｇ    開口部
２１ｈ    開口部
２２      環状軸受
２３ａ    スリット
２３ａａ  上縁部
２３ａｂ  下縁部
２４      下端部
２５      段差部
２６      ストッパ
２７      フック部
２８      規制部
２９      ねじ部
３０      支柱
３１      基体部
３２      水平部
３３      垂下部
３３ａ    ねじ孔
３４      滅菌布筒
３５ａ    輸液バッグ
３５ｂ    輸液バッグ
３６      オートクレーブ用保持筒
３７      開口部
３８      通気孔
４０      医療器具支持ユニット
４１      脚部材
４２      脚部材
４３      脚部材
４４      上部支柱材
４５      下部支柱材
４６      支柱
４７      載置部
４８ａ    クランプ
４８ｂ    つまみ
４９      支持孔
５０      補液バッグ用ハンガー
５１ａ    立設部
５１ｂ    延設部
５２      フック
５３      フック
５４      フック
５５      フック
５６      フック
５７      補液バッグ
５８      補液バッグ
５９      補液バッグ
６０      多用途透析装置
【図１】
2013000198.tif 000003
【図２】
2013000198.tif 000004
【図３】
2013000198.tif 000005
【図４】
2013000198.tif 000006
【図５】
2013000198.tif 000007
【図６】
2013000198.tif 000008
【図７】
2013000198.tif 000009
【図８】
2013000198.tif 000010
【図９】
2013000198.tif 000011
【図１０】
2013000198.tif 000012
【図１１】
2013000198.tif 000013
【図１２】
2013000198.tif 000014
【図１３】
2013000198.tif 000015